(57)【要約】【課題】  本発明は、稲の栽培に用いる米の品質向上剤及び品質向上方法を提供する。【解決手段】  卵殻を有効成分として含有する米の品質向上剤及び卵殻を有効成分として用いる米の品質向上方法。【選択図】  なし【特許請求の範囲】
【請求項１】
稲の栽培に用いる米の品質向上剤であって、
卵殻を有効成分として含有する、
米の品質向上剤。
【請求項２】
請求項１に記載の米の品質向上剤において、
米の品質向上剤が、米飯の粘り及び／又は硬さを向上させる、
米の品質向上剤。
【請求項３】
請求項１または２に記載の米の品質向上剤において、
米の品質向上剤が、粳米の米飯の粘りを−５００〜−２２５ｇｗ／ｃｍ２及び／又は、硬さを１６５０〜２２５０ｇｗ／ｃｍ２に向上させる、
米の品質向上剤。
【請求項４】
稲の栽培に用いる米の品質向上方法であって、
卵殻を有効成分として用いる、
米の品質向上方法。
【請求項５】
請求項４に記載の米の品質向上方法において、
米の品質向上方法が、米飯の粘り及び／又は硬さを向上させる、
米の品質向上方法。
【請求項６】
請求項４または５に記載の米の品質向上方法において、
米の品質向上方法が、粳米の米飯の粘りを−５００〜−２２５ｇｗ／ｃｍ２及び／又は、硬さを１６５０〜２２５０ｇｗ／ｃｍ２に向上させる、
米の品質向上方法。
【発明の詳細な説明】
【技術分野】
【０００１】
本発明は、稲の栽培に用いる米の品質向上剤及び品質向上方法に関する。
【背景技術】
【０００２】
日本人は粘りが強く、軟らかい米を好む傾向がある。そのため、日本を代表するブランド米である例えば、コシヒカリは、粘りがあり、歯ごたえが軟らかく、味や香り等が非常に優れているため、大変人気が高く、日本全国で栽培されている。
【０００３】
飲食店や加工食品の製造等でも、コシヒカリのような粘りがあり、軟らかい米が使用されている。
しかしながら、飲食店や加工食品の製造等においては、一度に大量に炊飯や調理を行うため、コシヒカリのような粘りがあり、軟らかい米は、米粒同士の結着や潰れが発生し易い。さらに、軟らかい米は、製造設備への米の付着が起き易く、その結果、歩留りが低下し、加工がし難いという問題があった。
このような問題からコシヒカリに比べ硬い米、例えば、ササニシキ等が飲食店や加工食品の製造用として広く用いられている。
しかしながら、硬い米は、大量炊飯する飲食店や加工食品等の加工用としては適しているものの、一般的に粘りが少なく、乾燥しやすい傾向にある。その結果、得られた加工食品において、それ自体の食味や品質の低下につながっていた。
【先行技術文献】
【特許文献】
【０００４】
【特許文献１】特開２０１４−１７１４０２号公報
【発明の概要】
【発明が解決しようとする課題】
【０００５】
そこで、本発明の目的は、外食や加工食品業界でも問題なく使用できる品質の米を得るための、稲の栽培に用いる米の品質向上剤及び品質向上方法を提供するものである。
【課題を解決するための手段】
【０００６】
本発明者等は、上記目的を達成すべく鋭意研究を重ねた。その結果、稲の栽培に用いる米の品質向上のための有効成分として卵殻を用いたところ、意外にも米の品質が向上することを見出し、本発明を完成するに至った。
【０００７】
すなわち、本発明は、
（１）稲の栽培に用いる米の品質向上剤であって、卵殻を有効成分として含有する、米の品質向上剤、
（２）（１）に記載の米の品質向上剤において、米の品質向上剤が、米飯の粘り及び／又は硬さを向上させる、米の品質向上剤、
（３）（１）または（２）の記載のいずれかの米の品質向上剤において、米の品質向上剤が、粳米の米飯の粘りを−５００〜−２２５ｇｗ／ｃｍ２及び／又は、硬さを１６５０〜２２５０ｇｗ／ｃｍ２に向上させる、米の品質向上剤、
（４）稲の栽培に用いる米の品質向上方法であって、卵殻を有効成分として用いる、米の品質向上方法、
（５）（４）に記載の米の品質向上方法において、米の品質向上方法が、米飯の粘り及び／又は硬さを向上させる、米の品質向上方法、
（６）（４）または（５）に記載の米の品質向上方法において、米の品質向上方法が、粳米の米飯の粘りを−５００〜−２２５ｇｗ／ｃｍ２及び／又は、硬さを１６５０〜２２５０ｇｗ／ｃｍ２に向上させる、米の品質向上方法、
である。
【０００８】
ところで卵殻は土壌の放射能物質低減剤として提案されている（特許文献１）。
しかしながら、特許文献１には、米本来の品質である例えば、米飯の粘りや硬さ等を向上できることは、何ら記載も示唆もされていない。
【発明の効果】
【０００９】
本発明によれば、米を炊飯したときに、粘り及び／又は硬さがある米飯とすることができる、稲の栽培に用いる米の品質向上剤及び品質向上方法を提供することができる。したがって、本発明は、外食や加工食品業界でも問題なく使用できる品質の米を提供することができる。
【発明を実施するための形態】
【００１０】
以下本発明を詳細に説明する。なお、本発明において「％」は「質量％」を意味する。
【００１１】
＜本発明の特徴＞
本発明は、稲の栽培に用いる米の品質向上剤及び品質向上方法であって、卵殻を有効成分として用いることを特徴とする。
【００１２】
＜米の品質向上に関して＞
本発明の米の品質向上とは、米を炊飯したときの米本来の品質を向上させるものである。炊飯したときの米本来の品質を向上させる項目としては、例えば、硬さ、粘り、ツヤ、味、香り、色等が挙げられる。
本発明においては、特に、粘り及び／又は硬さを向上させるものである。
【００１３】
＜稲の栽培の際に用いる本発明の形態＞
稲の栽培の際に用いる本発明の形態は、土壌改良剤として用いられている一般的な形態と同様の形態で用いることができる。本発明においては、特に限定するものではないが、例えば、粉末、顆粒、ペレット等が挙げられる。
【００１４】
＜卵殻＞
本発明の有効成分として用いる卵殻としては、一般に市販で流通されている卵殻を用いると良い。
また、本発明は、卵殻の原料として、容易に入手しやすい観点から鶏卵由来のものを用いるのが良い。
【００１５】
＜卵殻の大きさ＞
本発明の卵殻の大きさは、特に限定しないが、土壌に撒く際の舞い上がりによる作業効率を考慮し、大きさの下限値は、最長辺の長さが３０μｍ以上が好ましく、さらに８０μｍ以上が好ましい。一方、大きさの上限値は、土壌中での分散を考慮し、最長辺の長さが１５ｍｍ以下が好ましく、さらに１０ｍｍ以下が好ましい。
【００１６】
＜稲の栽培の際に用いる卵殻の使用量＞
本発明において、稲の栽培の際に用いる卵殻の使用量は、本発明の効果が得られる程度使用すればよく、具体的には、１ａ（アール）あたり、５ｋｇ以上が好ましく、さらに１０ｋｇ以上が好ましい。
一方、使用量の上限値については、使用量に応じた期待する程の効果が得られ難いため、１ａ（アール）あたり、５０ｋｇ以下が好ましく、さらに３０ｋｇ以下が好ましい。
なお、前記使用量の下限値は、１坪あたり、それぞれ１５０ｇ以上、３００ｇ以上、上限値は、１坪あたり、それぞれ１７５０ｇ以下、１０００ｇ以下である。
【００１７】
＜稲の栽培の際に用いる卵殻の使用方法＞
本発明の卵殻の使用方法としては、栽培の直前、前期、中期または後期等いずれの時期に用いてもよい。さらに本発明は、これらの使用時期を組み合わせて使用してもより。本発明は、本発明の効果が得られやすいことから、特に、栽培の直前又は前記の時期が好ましい。
なお、使用時期を組み合わせて使用した場合の卵殻の使用量は、その合計使用量が、前記卵殻の使用量となる。
【００１８】
＜稲＞
本発明は、水稲、陸稲等のいずれの稲にも用いることができる。
本発明においては特に、有効成分である卵殻の効果が得られやすいため、水稲が好ましい。
【００１９】
＜米の種類等＞
本発明は、いずれの米にも用いることができる。米の種類等としては、例えば、コシヒカリ、ササニシキ、あきたこまち、バスマティ等の粳米、こがねもち、ヒメノモチ等の糯米が挙げられる。
本発明は、卵殻の使用量に応じた効果が得られやすいことから、粳米が好ましく、さらにジャポニカ米が好ましく、特にコシヒカリが好ましい。
【００２０】
＜米飯の粘り＞
本発明により米の品質は向上する具体的には例えば、粳米の米飯の粘りにおいて、喫食時においしさを感じやすいことから、−５００〜−２２５ｇｗ／ｃｍ２が好ましく、さらに−５００〜−２５０ｇｗ／ｃｍ２が好ましく、特に−５００〜−３２５ｇｗ／ｃｍ２が好ましい。
なお、後述の試験法による測定値と粘りは負の相関があるため、米の粘りは負の値になる。つまり、前記負の値が大きいほど、米飯の粘りがあることになる。
【００２１】
＜米飯の硬さ＞
本発明の米の品質の向上、具体的には例えば、粳米の米飯の硬さにおいて、米粒同士の結着や潰れが生じ難いことから、１６５０〜２２５０ｇｗ／ｃｍ２が好ましく、さらに１７００〜２２５０ｇｗ／ｃｍ２が好ましく、特に１８７５〜２２５０ｇｗ／ｃｍ２が好ましい。
【００２２】
＜米の品質向上剤における卵殻の含有量＞
本発明の品質向上剤に用いる卵殻の含有量は、作業効率の面から、５〜１００％とすることが好ましく、さらに２０〜１００％とすることが好ましい。
【００２３】
＜ その他の成分＞
本発明の品質向上剤には、上述の卵殻以外の成分としては、本発明の効果を損なわない範囲で、賦形剤や一般的に農作物を栽培する際に用いられる土壌改良剤成分であれば、適宜選択し用いることができる。具体的に、賦形剤としては澱粉やデキストリン等が挙げられる。肥料成分としては、チッ素、リン酸、カリウム、マグネシウム等が挙げられる。肥料成分の中でもカリウムを多く含んでも効果があり、例えば、塩化カリウムを、１ａ（アール）あたり、７．５ｋｇ以上含む場合でも効果がある。なお、前記塩化カリウム量は１坪あたりは２５０ｇ以上である。
【００２４】
以下に本発明の米の品質向上剤、及び米の品質向上方法の実施例に基づき詳述する。なお、本発明はこれに限定するものではない。
【実施例】
【００２５】
[試験例１]
予め、下記表１に記載の配合原料を均一に粉体混合して、実施例１、実施例２及び比較例１の品質向上剤を調製した。その後田植えを行い、土壌中の栄養成分移行を防ぐため、９坪／１区画とし、区ごとに波板で仕切りを設けた。栽培前期である田植えから１５日後、常法の土壌改良剤の利用方法と同様に、９坪／１区画に対し、実施例１、実施例２及び比較例１の各品質向上剤の全量を均一に散布し、稲を栽培した。
測定用に使用する米は１区画の中心１坪から収穫し、その米を炊飯し、粘りと硬さを測定し、これを表１の粘りと硬さの測定値とした。
なお、土壌改良剤として知られているカリウムを全ての実施例及び比較例に用い、卵殻の量を変更して炊飯後の粘りと硬さを測定した。
また、炊飯と測定は、下記の方法で行った。
【００２６】
＜炊飯方法＞
測定用の米を精米し、米の水分含量を１３．５％に調整した後、５つのアルミカップに１０ｇずつとり、水を１４ｇ加えた。その後電気釜（National、SR-SW182）の外釜に５００ｍｌの水を加え、５つのアルミカップをその中に並べ、２５分の蒸し調理後、１０分間蒸らした。
なお、米の水分含量は食糧庁標準計測方法に従いケット水分計で測定した。
【００２７】
＜粘りと硬さの測定方法＞
本発明において、米飯の粘りと硬さは、テンシプレッサー（タケトモ電機、Myboysystem）を用いて、下記手順により測定した。
手順：２５℃で２時間インキュベーターに保温した米飯粒１粒を無作為にサンプリングし、その米飯粒１粒を長径方向が水平になるように測定ステージ上に並べた。次に、これら米飯粒を圧縮率９０％（各米飯粒の厚さが初めの厚みの１０％になるまで潰す）で測定した。
なお、円柱状プランジャーを使用して測定し、米飯試料について、上記操作を異なる米飯粒を用いて２０回繰り返し、その平均値を測定値とした。米粒は、１つのアルミカップから４粒ずつ、計２０粒ランダムに選択した。
粘りの測定値については、圧縮時の付着力の値であり、硬さの測定値については圧縮時における反発力の最大値の値である。
【００２８】
【表１】
2018117579.tif 000002
【００２９】
表１より、比較例１の粘り及び硬さに比べ、実施例１、２の粘り及び硬さは向上していることが分かる。つまり、米飯の粘り及び／又は硬さを向上させるために、稲の栽培の際に用いる卵殻の使用量は１坪当たり１５０ｇ以上用いることが好ましく、このとき粳米の米飯の粘りは−５００〜−２２５ｇｗ／ｃｍ２及び／又は、硬さは１６５０〜２２５０ｇｗ／ｃｍ２となり好ましい。
また、米飯の粘り及び／又は硬さを向上させるために、稲の栽培の際に用いる卵殻の使用量は１坪当たり３００ｇ以上用いることがより好ましく、このとき粳米の米飯の粘りは−５００〜−３２５ｇｗ／ｃｍ２及び／又は、硬さは１８７５〜２２５０ｇｗ／ｃｍ２となり特に好ましい。
【００３０】
以上より、卵殻は米飯の粘り及び／又は硬さを向上させるのに有効であると言える。